(57)【特許請求の範囲】
【請求項１】
光磁気記録媒体を収容したカートリッジを使用し、書き込みおよび消去が可能な光磁気記憶装置において、
上記光磁気記録媒体に書き込みまたは消去する場合に磁界を印加する界磁コイル、および、カートリッジをイジェクトするためのイジェクトモータを取り付けたカートリッジホルダと、
カートリッジの挿入または排出方向に往復移動自在に設けられたスライド板、および、上記光磁気記録媒体を回転させるスピンドルモータが取り付けられたモータベース板を取り付けたローディングベースとを備え、
上記カートリッジホルダと上記ローディングベースとは、上記イジェクトモータにより上記スライド板が駆動されるように組み付けられ、
上記スライド板は、上記モータベース板と上記ローディングベース板との間に位置し、該スライド板から略垂直方向に突設されたカム溝を有するカム板部を有し、
上記モータベース板は、上記スライド板の上記カム溝に摺動自在に嵌合するピンを有し、上記スライド板の移動に際して、上記カム溝と上記ピンとの嵌合により、上記ローディングベースに対して接離する方向に移動するように構成され、
上記カートリッジを挿入した状態では、上記モータベース板が上記ローディングベースに近接し、前記カートリッジを前記スピンドルモータにチャッキングさせ、
上記カートリッジをイジェクトする際には、上記イジェクトモータの駆動により上記スライド板が上記カートリッジをイジェクトする方向に移動させ、該移動により上記モータベース板が上記ローディングベースから離間してチャッキングが解除されるように構成したことを特徴とする光磁気記憶装置。
【請求項２】
上記イジェクトモータは、上記カートリッジホルダの下面に配置されていることを特徴とする請求項１に記載の光磁気記憶装置。
【発明の詳細な説明】
【０００１】
【発明の属する技術分野】
本発明は、光磁気記憶装置、特に、光磁気記録媒体を収容したカートリッジを使用する光磁気記憶装置に関するものである。
【０００２】
【従来の技術】
一般に、たとえばカートリッジ内に収容されたディスク状のＭＯすなわち光磁気記録媒体を駆動するディスク装置では、このカートリッジを挿入する際にイジェクトスプリングが変形され、このカートリッジの排出の際には、このイジェクトスプリングの付勢力により、このカートリッジが排出される。
【０００３】
かかるカートリッジの排出に、その排出の用に供するイジェクトモータを用いることができる。
たとえば、特開平９−７３４８号公報には、ロード状態からイジェクト状態にリセットするに際し、スライドプレートを、手動によるか、またはモータ（イジェクトモータ）により、ロードスプリングの付勢力に抗して、カートリッジ挿入方向奥側に移動させ、かくてスピンドルモータベースを下降させることを開示する。
【０００４】
【発明が解決しようとする課題】
（イ）しかして、このようなカートリッジ排出用イジェクトモータを使用する態様の場合、イジェクトモータは、カートリッジのロード／イジェクト機構に近くするために、ロード／イジェクト機構の取り付けられているベース板（ローディングベース）に取り付けられる。
【０００５】
（ロ）一方また、イジェクトモータの駆動電源については、ＦＰＣ（フレキシブルプリント基板：フレキシブルプリントサーキット）によりメインの基板にコネクタにより接続され、これによりモータ駆動がされるようになすのが常套である。
【０００６】
（ハ）さらにまた、そのような場合において、コスト低減および組立性向上のため、ＦＰＣおよびコネクタの数は少ない方が良い。そのため、少なくとも書き込みまたは消去をする場合に磁界を印加する界磁コイルを有する場合、かかる界磁系の部分に関し、イジェクトモータのＦＰＣにその界磁コイルの接続を追加してＦＰＣおよびコネクタの数を削減する試みは有利である。
【０００７】
（ハ−１）これを図を参照して説明すると、図１５ないし図１９は、後記本発明実施例においても参照される比較例の図であって、図１５および図１６による構成では、ローディングベース部組１０２は、ロード／イジェクト機構が取り付けられているもので、これにイジェクトモータ１５６が取り付けられる。イジェクトモータ１５６は、ＦＰＣ１９０によりメインの基板２０５にコネクタ２１０により接続され（図１６中、ａ−ａ）、駆動電源で駆動されることができる。
【０００８】
（ハ−２）また、ＦＰＣ１９５は、界磁系１８０の界磁コイル用兼光磁気ヘッド機構１３５用の接続を兼ねたＦＰＣで、その兼用部分の先端は当該ＦＰＣ１９５用のコネクタ２１１（界磁コイル用兼光磁気ヘッド機構用コネクタ）に結合される（図１６中、ｂ−ｂ）。また、ＦＰＣ１９９は、ローディングベース部組１０２のスピンドル（ＳＰＤ）モータ１３９用のＦＰＣで、その先端はスピンドルモータ用コネクタ２１２に結合されるものとすることができる（図１６中、ｃ−ｃ）。
【０００９】
（ハ−３）また、図１６に示すように、ローディングベース部組１０２とカートリッジホルダ部組１０３による組み付け体部分、コネクタ２１０，２１１，２１２等を有するベースの基板２０５の部品のほか、組立部品としてフレーム部２０１、カートリッジ１の着脱口を有する前面パネル部２０２、後方パネル部２０３、さらには上面パネルおよび下面パネル（不図示）等の部品を使用し、これらを組み合わせて、かかるカートリッジ１を使用するディスク装置を組み立て構成することができる（この点について、次の例も同様である）。
【００１０】
（ハ−４）ここに、上記の界磁コイル用兼光磁気ヘッド機構用コネクタ２１１に接続されるＦＰＣ１９５については、途中から二叉に分かれる二叉部１９５ａを有している。そして、そこから上下に分かれた一方のＦＰＣ部分１９６は上側のカートリッジホルダ部組２０３の界磁系１８０の界磁コイルと半田付けで接続されて配線がなされ、他方のＦＰＣ部分１９７は下側のローディングベース部組２０２の光磁気ヘッド機構１３５へと導かれて、同様に半田付け等で接続を行うことができる。
【００１１】
（ハ−５）図１７ないし図１９による比較例の場合は、ローディングベース部組１０２のベース板に取り付けられたイジェクトモータ１５６とカートリッジホルダ部組２０３側の界磁系１８０の界磁コイルとの両者のＦＰＣを兼用し、およびその接続のためのコネクタも両者で単一のコネクタを兼用しようというものである。
ここに、図１７（ａ）は、ローディングベース部組１０２とカートリッジホルダ部組１０３による組み付け体部分をそのローディングベース部組１０２側からみた同図（ｂ）に示すものの図中上方からみた後方側面図、同図（ｃ）は、同じく同図（ｂ）に示すものの図中下方からみた前方側面図であり、図１８は図１７（ｂ）の右側からみた側面図であり、そして、図１９は、上記の組み付け体部分をそのカートリッジホルダ部組１０３側からみた図である。
【００１２】
（ハ−６）図１９に示されるように、ＦＰＣ１９０は、イジェクトモータ１５６用兼界磁系１８０の界磁コイル用の接続を兼ねたＦＰＣとして用いられ、イジェクトモータ１５６のＦＰＣによる配線部分に界磁系１８０の界磁コイルの接続用の配線部分が追加されていることがわかる。ここに、上記のＦＰＣ１９０も途中から二叉に分かれる二叉部１９０ａを有し、その二叉部１９０ａから分かれた一方のＦＰＣ部分は下側のローディングベース部組２０２のベース板に取り付けられているイジェクトモータ１５６に至って接続され、その二叉部１９０ａから分かれた他方のＦＰＣ部分は上側のカートリッジホルダ部組２０３の界磁系１８０の界磁コイルと半田付けで接続されて配線がなされ、かつまた、その兼用部分の先端については、ここでは図示しない、イジェクトモータ兼界磁コイル用のコネクタに導かれてこれに結合される構成とすることができる。
【００１３】
（ハ−７）かくして、上記のように兼用することで、その分、使用するＦＰＣおよびコネクタの数を少なくすることが可能で、ＦＰＣおよびコネクタの数の削減の点でコスト低減、組立性向上等に有効である。
【００１４】
（ニ）ところが、書き込みまたは消去する場合に磁界を印加する界磁系１８０は、装置内にロードされるカートリッジ１の上方、つまり上側のカートリッジホルダ側にあり、いずれの比較例においても上記の二叉部１９０ａ，１９５ａが存在することとなる結果、次のようなことがいえる。
【００１５】
（ホ）すなわち、界磁コイルはカートリッジの上側に位置し、ロード／イジェクト機構はカートリッジの下側に位置するため、配線が、上側の部品と下側の部品にまたがり、組立の順番の制限があったり、修理、不具合検討等で分解する場合、界磁コイルの半田付けを外し、ＦＰＣを剥がさなければならない場合が生ずる。
もし、そうしないで、修理等において、ローディングベース部組１０２とカートリッジホルダ部組１０３による組み付け体部分（図１６中の当該組み付け体部分、および図１７ないし図１９における当該組み付け体部分）を、その組み合った状態から上下に自由に２分しようとすると（たとえば、図１５のごとき両部分が大きく離れた状態）、上記のＦＰＣの二叉部１９０ａ，１９５ａが引き裂かれ、結果、兼用したＦＰＣ部分を損傷させてしまうおそれがあり、したがって、これを回避するためには、上記のような半田付けを外すなどの面倒で手間のかかる作業が必要となる。
【００１６】
（ヘ）望ましいのは、そうした不利等もなく、組立性と共に、分解検討・再生する場合においても作業性の良い装置構成とすることができることである。
【００１７】
本発明は、上記のような考察に基づき、また後記する考察に基づき、これらの点から改良を加えて、上述したような不利不便を解消することができるようにしようというものである。
【００１８】
【課題を解決するための手段】
上記目的を達成する請求項１に係る光磁気記憶装置の発明は、光磁気記録媒体を収容したカートリッジを使用し、書き込みおよび消去が可能な光磁気記憶装置において、上記光磁気記録媒体に書き込みまたは消去する場合に磁界を印加する界磁コイル、および、カートリッジをイジェクトするためのイジェクトモータを取り付けたカートリッジホルダと、カートリッジの挿入または排出方向に往復移動自在に設けられたスライド板、および、上記光磁気記録媒体を回転させるスピンドルモータが取り付けられたモータベース板を取り付けたローディングベースとを備え、上記カートリッジホルダと上記ローディングベースとは、上記イジェクトモータにより上記スライド板が駆動されるように組み付けられ、上記スライド板は、上記モータベース板と上記ローディングベース板との間に位置し、該スライド板から略垂直方向に突設されたカム溝を有するカム板部を有し、上記モータベース板は、上記スライド板の上記カム溝に摺動自在に嵌合するピンを有し、上記スライド板の移動に際して、上記カム溝と上記ピンとの嵌合により、上記ローディングベースに対して接離する方向に移動するように構成され、上記カートリッジを挿入した状態では、上記モータベース板が上記ローディングベースに近接し、前記カートリッジを前記スピンドルモータにチャッキングさせ、上記カートリッジをイジェクトする際には、上記イジェクトモータの駆動により上記スライド板が上記カートリッジをイジェクトする方向に移動させ、該移動により上記モータベース板が上記ローディングベースから離間してチャッキングが解除されるように構成したことを特徴とするものである。また、請求項２に係る発明は、請求項１に記載の光磁気記憶装置において、上記イジェクトモータは、上記カートリッジホルダの下面に配置されていることを特徴とするものである。
【００１９】
本発明によれば、光磁気記録媒体に書き込みまたは消去する場合に磁界を印加する界磁コイル、および、カートリッジをイジェクトするためのイジェクトモータを取り付けたカートリッジホルダと、カートリッジの挿入または排出方向に往復移動自在に設けられたスライド板、および、光磁気記録媒体を回転させるスピンドルモータが取り付けられたモータベース板を取り付けたローディングベースとを備え、カートリッジホルダとローディングベースとは、イジェクトモータによりスライド板が駆動されるように組み付けられているので、組み付ける順番を制限せず、分解検討も容易にすることができる。したがってまた、組立性と共に、分解検討・再生する場合においても作業性の良いものとすることができる。
【００２０】
【発明の実施の形態】
以下、図を参照して本発明の実施形態を説明する。
この実施形態のものは、光磁気ディスク装置に本発明を適用したものである。
まず、図１以下を参照して、本発明を適用できるディスク装置（データの書き込み／消去が可能な光磁気情報記憶装置）の全体の構成を概略的に説明する。
ここに、図１は光磁気ディスク装置の概略的な分解斜視図、図２は図１のカートリッジホルダ部材（カートリッジホルダ）を反転して裏面側を示す平面図、図３は図１のベース板（ローディングベース）の平面図、図４はカートリッジをチャッキング位置まで挿入した状態のベース板の平面図、図５は図１のベース板を反転して裏面側を示す平面図、図６はスピンドルモータ（ＳＰＤモータ）機構が待機位置にある場合の図５のＡ−Ａ矢視図、図７はスピンドルモータ機構がチャッキング位置にある場合の図５のＡ−Ａ矢視図、図８はプルプレート端部と嵌合保持部材の部分を拡大して示すベース板の平面図、図９は図８のＢ−Ｂ矢視図である。
【００２１】
図中の１は、ディスク状の光磁気記録媒体を収容したカートリッジで、３．５インチ型の光磁気ディスクの規格品である。このカートリッジ１には、開閉自在のシャッタ１２が設けられ、またこのシャッタ１２からは横方向にこれを開閉するシャッタバー１３が延在され、またこのシャッタバー１３の先端部には頭部１４が形成されている。また、このカートリッジ１の両側縁部には、それぞれ凹部１５が形成されている。
【００２２】
また、このディスク装置は、本体部分を構成するベース板２およびこの上に重ねられるカートリッジホルダ板３とから構成されており、これらの間にカートリッジが挿入されるカートリッジ挿入経路が形成される。
カートリッジをローディングするメカ部分の構成は、後述もするようにカートリッジの挿入によりスピンドルモータを上昇させ、イジェクトモータによりスピンドルモータを下降させて排出する部分を有するローディングベース部組と、カートリッジのシャッタ部を開閉させる機構、データの記録・消去の際に磁界を印加する界磁系を有するカートリッジホルダ部組とに分けられる。ローディングベース部組は上記のベース板２（ローディングベース）を含んで構成され、またカートリッジホルダ部組は上記のカートリッジホルダ板３を含んで構成されるものとすることができる。
【００２３】
次に上記のディスク装置の本体部分の構成を説明する。まず、上記のカートリッジホルダ板３の構成を図１および図２を参照して説明する。なお、図２は、このカートリッジホルダ板３を反転させて裏側を上にした図である。
【００２４】
このカートリッジホルダ板３は、たとえば金属板をプレス成型したもので、このカートリッジホルダ板３には、磁気コイル２１およびシャッタ開閉機構２２が設けられている。
ここに、磁気コイル２１は、光磁気記録媒体に書き込みまたは消去をする場合に磁界を印加するいわゆる界磁コイルで、これによりデータの記録・消去の際に磁界を印加する界磁系が構成されるものとすることができ、カートリッジホルダには、かかる界磁系（界磁コイルおよびヨークが含められる）が取り付けられ、およびシャッタ開閉機構２２が設けられている。
【００２５】
このシャッタ開閉機構２２は、シャッタ開閉爪部材２３を備えており、このシャッタ開閉爪部材２３は、上記のカートリッジホルダ板３に形成された案内溝２４に摺動自在かつ回動自在に案内されている。
【００２６】
また、上記のカートリッジホルダ板３には、スライド溝２６が形成されており、このスライド溝２６にはスライダ２５が摺動自在に案内されている。そして、上記のシャッタ開閉爪部材２３と上記のスライダ２５との間、およびこのスライダ２５とカートリッジホルダ板３との間は、それぞれスプリング２７，２８により連結されている。
【００２７】
そして、カートリッジ１が挿入されると、このカートリッジに当接して上記のシャッタ開閉爪部材２３が回勤しながら上記の案内溝２４に沿って移動し、このシャッタ開閉爪部材２３はカートリッジ１のシャッタバー１３の頭部１４を横方向に押圧し、シャッタ１２を開放する。なお、このシャッタ開閉機構２２の構成および作動は、従来公知のものと同様である。
【００２８】
次に、図１、図３ないし図９を参照して上記のベース板およびこの実施形態の作用を説明する。なお、図５はこのベース板を反転させてその裏面側を上にしたものである。
【００２９】
このベース板２は、たとえば金属板をプレス成型したもので、左右両側の縁部は上方に折り曲げられて左右の側壁部３１を構成している。また、このベース板２の底壁部３２の上面には薄い合成樹脂のシート３３が貼り付けられており、挿入されるカートリッジ１との間の摩擦抵抗を軽減するように構成されている。
【００３０】
そして、このベース板２の裏面側には、挿入されたカートリッジ１内のディスク状の光磁気記録媒体に情報の書き込みおよび読み出しをおこなう光磁気ヘッド機構３５、およびこの光磁気記録媒体を回転させるスピンドルモータ機構３６が設けられている。
【００３１】
以下、上記のスピンドルモータ機構３６について説明する。なお、この実施形態のスピンドルモータ機構は、特開平０９−００７３４８号公報に開示されているものと略同様の構成のものである。
【００３２】
図５の３８はモータベース板であって、このモータベース板３８にはスピンドルモータ３９が取り付けられている。そして、このスピンドルモータ３９のスピンドル軸４０は、図３に示すように、ベース板２の上面側に露出している。
【００３３】
このモータベース板３８は、ベース板２から突設された一対の案内ピン４１およびアライメントピン４２によってベース板２の裏面に接離するように構成されている。なお上記のアライメントピン４２は、このモータベース板３８の接離にともなって、図３に示すようにベース板２の上面側に突没するように構成されている。
【００３４】
そして、このモータベース板３８がベース板２に近接したチャッキング位置では、上記のスピンドル軸４０が突出してカートリッジ１内の光磁気記録媒体の中心穴内に嵌合し、また上記のアライメントピン４２は突出してカートリッジ１の基準穴１６内に嵌合し、このカートリッジ１をチャッキングする。
【００３５】
また、このモータベース板３８がベース板２から離間した待機位置では、上記のスピンドル軸４０およびアライメントピン４２はベース板２の上面から没入し、このカートリッジ１の挿入経路から退避する。
【００３６】
また、上記のモータベース板３８を上記のチャッキング位置と待機位置との間で接離させるために、上記のモータベース板３８とベース板２との間にスライド板４３が設けられている。
【００３７】
このスライド板４３は、たとえばこのカートリッジ１の挿入方向と平行な方向に往復移動自在に設けられており、スプリング４４によりカートリッジ１の挿入方向、すなわちこのディスク装置の後方側に付勢されている。
【００３８】
また、このスライド板４３の４隅部には、４個のカム板部４５がこのスライド板４３と略垂直な方向に突設されている。これらのカム板部４５には、図６および図７に示すように、それぞれカム溝４７が形成されている。そして、これらのカム溝４７内には、前記のモータベース板３８から突設されたピン４８がそれぞれ摺動自在に嵌合している。
【００３９】
また、このスライド板４３とモータベース板３８との間には、リンク板４９が設けられ、このリンク板４９の略中央部はピン５０によりベース板２に枢着されている。なお、このピン５０に対応して、前記のスライド板４３には長孔５１が形成され、このスライド板４３の移動を許容するように構成されている。
【００４０】
また、このリンク板４９の基端部には、長孔５３が形成され、この長孔５３内には、上記のスライド板４３から突設されたピン５２が回動自在および摺動自在に嵌合している。
【００４１】
また、このリンク板４９の先端部には、後述するイジェクトスプリング５４の一端部が連結されている。そして、後述するように、カートリッジ１の挿入に伴ってこのイジェクトスプリング５４が引き伸ばされると、このリンク板４９の先端部がカートリッジ１の挿入方向つまりこのディスク装置の後方側に移動すると、このリンク板４９の基端部が前方側に移動し、これに連結されたスライド板４３が前方に移動する。
【００４２】
図７に示すように、このスライド板４３の前方への移動により、上記のカム板部４５のカム溝４７内に嵌合しているピン４８がベース板２に近接する方向に引き下げられ（装置としては上側）、アライメントピンがカートリッジ穴に入ることにより前記のモータベース板３８がベース板２に近接してチャッキング位置となり、カートリッジ１をチャッキングする。
【００４３】
また、カートリッジ１が排出される際には、図６に示すように、上記とは逆にリンク板４９の先端部が前方側に移動し、このリンク板の基端部およびスライド板４３が後方側に移動し、モータベース板３８がベース板２から離間し、アライメントピンがカートリッジからはずれることにより待機状態となる。
【００４４】
また、このスライド板４３の一側からはアーム部５５が後方側に延長されており、その先端部にはイジェクトモータ５６が設けられている。そして、このイジェクトモータ５６によりこのアーム部５５が後方に引かれると、スライド板４３が後方に移動し、図６に示すように、モータベース板３８がベース板２から離間し、待機状態となる。これにより、上記のスピンドル軸４０およびアライメントピン４２はベース板２の上面から没入し、このカートリッジ１のチャッキングが解除され、このカートリッジ１が排出される。
なお、カートリッジ１をイジェクトするためのイジェクトモータ５６は、図３ないし図５では、ローディングベース側に取り付けるものとして示されるが、ここに、後述もするごとく、かかるイジェクトモータは、これを、本発明に従い、記録・消去時に磁界を印加する界磁系が取り付けられるカートリッジホルダ側に取り付けるものである。この場合において、以下にさらに述べられるカートリッジ挿入および排出、ならびに排出の際の飛び出し防止の機構をも含んだ、この実施形態の装置構成等に大幅な変更をももたらさずに、また、図３ないし図５中、イジェクトモータ５６が位置するスペースの部分をできるだけ有効に活用もするなどして、カートリッジホルダ下面にカートリッジ排出用イジェクトモータを取り付けことができ（たとえば図１０参照）、これらの点についても、後記で詳細に説明される。
【００４５】
次に、上記のカートリッジ１の挿入、排出作動を行い、かつ排出の際の飛び出しを防止する機構について説明する。
【００４６】
上記のベース板２およびカートリッジホルダ板３との間に形成されるカートリッジ挿入経路内には、この経路を横断して梁状のプルプレート６０が設けられている。そして、このプルプレート６０の両端部は、ベース板２の両側の側壁部３１にスライド部材６１を介して、このカートリッジ１の挿入、排出方向に平行に移動するように摺動自在に案内されている。
【００４７】
また、上記のプルプレート６０は、挿入されるカートリッジ１の前縁部に当接し、この後はこの挿入されるカートリッジ１と共に後方に移動するように構成されている。この実施形態では、このプルプレート６０とカートリッジ１との当接位置は、このカートリッジ１の略中央部となるように構成されている。
【００４８】
すなわち、上記のプルプレート６０の前縁部の略中央部からは、当接凸部６２が突設されている。この当接凸部６２は、図４に示すように、カートリッジ１のシャッタ１２が開放された状態において、このシャッタ１２に連結されたシャッタバー１３の先端部の頭部１４に当接するような位置に配置されており、この頭部１４の位置は、このカートリッジ１の略中央部に位置している。
【００４９】
なお、このプルプレート６０の当接凸部６２がこの頭部１４に当接するのは、図３に示すように、このカートリッジ１が所定量だけ挿入された後であり、この位置まで挿入される前に、このカートリッジ１のシャッタは、前述のシャッタ開閉機構２２より開放されており、上記の頭部１４はこの当接凸部６２の位置まで移動している。
【００５０】
また、このプルプレート６０と上記のベース板２の上面との問には、レバー部材６３が設けられている。このレバー部材６３の基端部はピン６４によりベース板２に回動自在に枢着されている。また、このレバー部材６４の中間部には、連結ピン６５が突設されている。そして、この連結ピン６５は、上記のプルプレート６０に形成された長孔６６内に回動自在および摺動自在に嵌合している。
【００５１】
また、このレバー部材６３の先端部はＬ字状に屈曲され、ベース板２に形成された円弧状のスリット溝６７を通過してこのベース板２の裏面側に引き出されている。そして、このレバー部材６３の先端には、コイルスプリングからなるイジェクトスプリング５４の一端部が連結されている。また、このイジェクトスプリング５４の他端部は、前述したスピンドルモータ機構３６のリンク部材４９の先端部に連結されている。
【００５２】
したがって、このカートリッジ１が挿入されると、まず前記のシャッタ開閉機構によりそのシャッタ１２が開放され、次に図３に示す位置でこのカートリッジ１のシャッタバー１３の頭部１４が上記のプルプレート６０の当接凸部６２に当接する。そして、さらにこのカートリッジ１が挿入されると、プルプレート６０はこのカートリッジ１と共に後方に移動する。このプルプレート１の後方への移動により、これに連結されているレバー部材が６３が後方に回動し、その先端のイジェクトスプリング５４が引き伸ばされ、スピンドルモータ機構３６のリンク部材４９の先端を後方に移動させ、モータベース板３８がベース板２に近接してゆく。
【００５３】
そして、図４に示すような位置まで挿入されると、このモータベース板３８のアライメントピン４２が突出してカートリッジ１の基準孔１６内に嵌合するとともに、スピンドル軸４０がこのカートリッジ１内の光磁気記録媒体の中心孔に嵌合し、チャッキングがなされる。
【００５４】
また、このプルプレート６０には、このカートリッジ１を保持し、また排出の際の飛び出しを防止する機構が設けられている。以下、この機構を説明する。
【００５５】
このプルプレート６０の両端部には、それぞれ嵌合保持部材７０が前方に向けて突設されている。この嵌合保持部材７０は、板ばね状の部材であり、その先端部は鉤状に形成されて嵌合部７１を形成している。なお、この嵌合部７１は、このベース板２の側壁部３１に形成された細長状の通過孔７２を介して外側に突出し、このプルプレート６０と共に前後に移動自在であり、また外側に弾性的に変形可能となっている。
【００５６】
そして、この鉤状の嵌合部７１は、挿入されたカートリッジ１の両側の凹部１５内に弾性的に嵌合し、このカートリッジ１をこのプルプレート６０に対して保持するように構成されている。なお、このカートリッジ１を取り出す場合には、このカートリッジ１を引くことにより、上記の嵌合保持部材７０からの弾性的な嵌合が開放される。
【００５７】
また、上記のベース板２の裏面側には、上記のプルプレート６０の前方側への移動を所定の位置で停止させるストッパ７３が取り付けられている。この実施形態では、このストッパ７３はＵ字状の板ばねからなるもので、弾性を有している。また、この実施形態では、このストッパ７３は上記のプルプレート６０に直接は当接せず、このプルプレート６０に連結されたレバー部材６３の先端部に当接し、このレバー部材６３およびプルプレート６０とを所定の位置で停止させるように構成されている。
【００５８】
上記のストッパ７３は、弾性を有しているために、このレバー部材６３が当接易した場合に弾性変形し、レバー部材６３およびプルプレート６０が緩衝されつつ前方側にさらに移動する。この緩衝作用により、プルプレート６０が停止される場合の加速度が小さくなり、嵌合保持部材７０によりプルプレート６０に保持されているカートリッジ１の嵌合保持が不所望に解放され、このカートリッジ１が飛び出すことが確実に防止される。
【００５９】
また、この実施形態では、上記のカートリッジ１の飛び出しをさらに確実に防止する嵌合解除防止機構が設けられている。すなわち、上記のレバー部材６３が上記のＵ字状ばねのストッパ７３に当接した位置における嵌合保持部材７０の先端よりさらに前方側には、嵌合解除防止部材７５が設けられている。この嵌合解除防止部材７５は、たとえば前述のカートリッジホルダ板３の両側壁部の一部を切り起こした板状の部材で、上記の位置における嵌合保持部材７０の先端に近接しかつこの先端より前方側、およびこの嵌合保持部材７０の外側、すなわちこの嵌合保持部材７０がカートリッジ１の凹部１５から抜け出す方向側に配置されている。
【００６０】
したがって、上記のレバー部材６３が上記のＵ字状ばねからなるストッパ７３に当接し、これを弾性変形させつつさらにプルプレート６０が前進すると、上記の嵌合保持部材７０の嵌合部７１の先端部は、上記の嵌合解除防止部材７５の内側に位置する。したがって、上記のプルプレート６０がストッパ７３を弾性変形させつつ前進する場合、すなわち減速し加速度が作用している際には、嵌合保持部材７０は上記の嵌合解除防止部材７５により外側への変形を機械的に規制され、よってカートリッジ１の凹部１５から抜け出すことがない。よって、プルプレート６０が停止する際の衝撃によるカートリッジ１の飛び出しを確実に防止することができる。
【００６１】
なお、上記のストッパ７３を弾性変形させつつプルプレート６０が停止した後は、このストッパ７３の弾性力によりプルプレート６０は図８および図９に示す位置まで後退し、上記の嵌合解除防止部材７５による外側への変形の規制が解除される。よって、このプルプレート６０が所定の位置に停止した後は、上記の嵌合保持部材７０を外側に弾性変形させてカートリッジ１を取出し、および挿入保持が可能となる。
【００６２】
かくして、上述のごとくの構成にすると、
挿入されたカートリッジ１は、その両側の凹部１５に嵌合保持部材７０が嵌合されるので、このカートリッジ１を傾けるような不均衡な荷重は作用しない。ディスク装置にカートリッジを挿入する場合、そのディスク装置内でカートリッジが傾くような不均衡な荷重が作用すれば、そのカートリッジの円滑な挿入や排出が損なわれ、操作性が低下する等の不具合が発生するところ、そうした不均衡な荷重は作用しない。また、このカートリッジ１は、上記の嵌合保持部材７０によって上記のプルプレート６０に対して保持されており、このプルプレート６０が上記のストッパ７３に当接して停止することにより、このカートリッジ１も所定位置に停止する。
【００６３】
ここに、たとえば、特開平１０−３２０８８５号公報に示される機構と上述してきた構成によるものを対比するに、その特開平１０−３２０８８５号公報による機構においては、挿入されたカートリッジの３個所にカートリッジの厚さ方向に弾性的に当接するカートリッジ押付部材を備えており、これらのカートリッジ押付部材とカートリッジとの間の摩擦抵抗力により、カートリッジの排出の際にカートリッジを減速してその後縁部をディスク装置から所定長さだけ突出した状態で停止させ、カートリッジの飛び出しを防止しているが、しかし、このようなものは、作動の安定性の点で満足すべきものではなく、カートリッジがイジェクトスプリングの付勢力により排出される際に、上記の３個所のカートリッジ押付部材の１個所が外れると摩擦抵抗力が急激に低下し、カートリッジの飛び出しが生じることがある。
また、この種のカートリッジは厚さが薄く、この厚さのばらつきによってカートリッジ押付部材の押圧力に大きなばらつきが生じる。このため、摩擦抵抗力にも大きなばらつきが発生し、カートリッジの停止位置が不正確となり、またこのカートリッジの飛び出しが発生することもある。
【００６４】
また、たとえば、特開平６−５２６１７号公報に開示されているような嵌合型のカートリッジ飛び出し防止機構と上述してきた構成によるものを対比するに、特開平６−５２６１７号公報によるものは、カートリッジの誤挿入防止用レバーに、カートリッジの両側に形成された凹部の一方に嵌合する凸部を設け、この凸部を弾性的にカートリッジの凹部内に嵌合させ、この位置でカートリッジを停止させ、その飛び出しを防止するものである。
このような形式のものは、凸部が凹部に嵌合する位置で止まるならば、カートリッジを正確な位置で停止させることができるが、しかし、この凸部と凹部との嵌合の弾性力は、このカートリッジを確実に停止させるためには、かなり大きな弾性付勢力としなければならない。
このため、カートリッジの挿入および取り出しの際に、挿入操作途中でこの凸部と凹部の弾性的な嵌合を乗り越えるために、かなり大きな力を要し、操作性が損なわれるという問題がある。また、ディスク装置の案内機構とカートリッジの幅方向との間には、ある程度の遊びが設定されている。このため、カートリッジの側面から上記のような大きな弾性嵌合力が与えられると、常にカートリッジと接触するので、円滑な挿入や排出が損なわれる等の不具合が生じる。
【００６５】
かように特開平６−５２６１７号公報に開示されているものは、カートリッジの排出の際に、移動中のカートリッジの側面の凹部に誤挿入防止用レバーの凸部が嵌合してこのカートリッジを停止させるので、この凸部の嵌合弾性力を大きくしなければならないが、これに対して、
上述のごとくの構成にすると、上記のカートリッジ１の排出の際に、カートリッジ１の両側の凹部１５に最初から嵌合保持部材７０が嵌合しており、上記のプルプレート６０がストッパ７３に当接して停止する際に、この嵌合保持部材７０の嵌合が外れない程度の嵌合弾性力でよい。したがって、カートリッジ１の挿入、取出しの際に、このカートリッジ１を嵌合保持部材７０に弾性的に嵌合および嵌合解除する際の抵抗が少なく、操作性が向上する。
【００６６】
また、先に触れたごとくに、上記のカートリッジ１内の光磁気記録媒体に書き込みまたは消去する場合に磁界を印加する界磁系を取り付け一体となったカートリッジホルダ板３にカートリッジ排出用イジェクトモータ５６を取り付ける構成とすると、
明細書冒頭での考察事項で述べた観点からの狙いも実現し得て、組み付ける順番を制限せず、分解検討も容易にすることができ、磁界コイルの接続関係が容易になり、分解、再組立などの保守・検討の作業性も向上する。
さらにまた、この場合において好ましくは、イジェクトモータ５６のＦＰＣの取り付け方法が、粘着剤や接着でなく、カートリッジホルダ板３との係合を利用して固定する構成を採用すると、より効果的である。
【００６７】
以下、図１０以降も参照して、これらについて説明する。
図１０は、カートリッジ排出用イジェクトモータをカートリッジホルダに取り付けるイジェクトモータ取り付け方法の一例の説明に供する分解組立斜視図であり、また、図１１はローディングベースおよびイジェクトモータ取り付け後のカートリッジホルダの組み付け体の一例を裏面側からみて示す図、図１２は同じく図１１の組み付け体における側面図（図１１の右側からみた側面図）、図１３は同じく、イジェクトモータのＦＰＣの取り付け方法の態様の一例を含めて示す、図１１の組み付け体の平面図であり、さらに、図１４はＦＰＣの取り付け方法の他の態様の例の説明に供する要部説明図である。
【００６８】
ここに、これらの図においては、本イジェクトモータ取り付け方法ならびにＦＰＣ取り付け方法は基本的に前記図１ないし図９で説明した装置構成のものに適用することができることから、既に図９までに示したものと同様の要素・部材には、同一の参照符号を付してある。
【００６９】
図中、２はベース板（ローディングベース）、３はカートリッジホルダ板（カートリッジホルダ）、２１は磁気コイル（界磁コイル）、２２はシャッタ開閉機構、２３はシャッタ開閉爪部材、２４は案内溝、２５はスライダ、２６はスライド溝、２８はスプリング、３１は側壁部、３２は底壁部、４１は案内ピン、４３はスライド板、４４はスプリング、４５はカム板部、４７はカム溝、４９はリンク板、５０はピン、５１は長孔、５２はピン、５４はイジェクトスプリング、５５はアーム部、５６はイジェクトモータ、６０はプルプレート、６２は当接凸部、６３はレバー部材、６４はピン、６５は連結ピン、６６は長孔、６７はスリット溝、７０は嵌合保持部材、７１は嵌合部をそれぞれ示し、これらは、それぞれ図１ないし図９の場合のもののにおける同じ参照符号が付されたもの、すなわち、既に述べたベース板（ローディングベース）２、カートリッジホルダ板（カートリッジホルダ）３、磁気コイル（界磁コイル）２１、シャッタ開閉機構２２、シャッタ開閉爪部材２３、案内溝２４、スライダ２５、スライド溝２６、スプリング２８、側壁部３１、底壁部３２、案内ピン４１、スライド板４３、スプリング４４、カム板部４５、カム溝４７、リンク板４９、ピン５０、長孔５１、ピン５２、イジェクトスプリング５４、アーム部５５、イジェクトモータ５６、プルプレート６０、当接凸部６２、レバー部材６３、ピン６４、連結ピン６５、長孔６６、スリット溝６７、嵌合保持部材７０、嵌合部７１それぞれと同様の機能を有する（実質的な作用効果は既に説明したものと共通であり、若干の形状等の違いのみである）。
【００７０】
なお、ロード／イジェクトの対象となるカートリッジについても、既に説明したごとくの、光磁気記録媒体を収容すると共に、シャッタ１２、シャッタバー１３、頭部１４、凹部１５および基準孔１６を有するカートリッジ１を使用するものとする。
【００７１】
また、ここでは、たとえば前記図５等で図示した光磁気ヘッド機構３５、スライド板４３によりスピンドルモータ３９を上昇／下降駆動するスピンドルモータ機構３６のモータベース板３８、当該スピンドルモータ３９、スピンドルモータ軸４０、アライメント軸４０、ピン４６等や、前記図８等で図示したストッパ７３、嵌合解除防止部材７５等については、図示をしていないが、これらも、同様に備える装置構成であってよい。したがって、これら図示しない共通の要素・部材をも含んで、前記図１ないし図９で説明したものと共通の要素・部材については、既に述べてきた記載を引用、ないし必要な場合は読み替えて適用するものとしてその詳細な説明は省略する。したがって、かかる内容も、図１０以下の説明でも取り入れられてその記載内容をなす。
【００７２】
図１０ないし図１３おいて、カートリッジ１をローディングするメカ部分の構成は、既に述べてもきたとおり、カートリッジ１の挿入によりスピンドル（ＳＰＤ）モータ３９（図示は省略されている）を上昇、イジェクトモータ５６によりＳＰＤモータ３９を下降させて排出する部分を有するローディングベース板２側のローディングベース部組と、カートリッジ１のシャッタ部を開閉させる機構２２、データの記録・消去の際に磁界を印加する界磁系８０を有するカートリッジホルダ板３側のカートリッジホルダ部組とに分けられるが、本取り付け方法においては、イジェクトモータ５６は、これをカートリッジホルダ板３に取り付ける。
【００７３】
取り付け態様は、ここでは、図１０に示すごとくに、カートリッジホルダ板３の下面よりイジェクトモータ５６をネジ８３にて取り付けるものとする。
イジェクトモータ５６のハウジング側部には、ネジ８３を挿通する取り付け部８４が設けられ、他方、カートリッジホルダ板３のカートリッジ挿入方向奥側（ディスク装置の後方側）の隅部（図１０中、左上隅部）近傍には、ネジ取り付け部８５が設けられ、これら取り付け部８４およびネジ取り付け部８５を介してネジ８３を取り付けることにより、イジェクトモータ５６が、ローディングベース板３の上面レベルより下側に大きく突出しないで、ローディングベース板上面〜カートリッジホルダ板下面の間のスペース部分（ローディングベース部組とカートリッジホルダ部組とを組み付けた場合に形成される空所）に納まるように（図１０、図１１および図１２）、カートリッジホルダ板３の下面に取り付けられる（図１０ないし図１３）。
【００７４】
このようにするときは、前記図３ないし図５におけるイジェクトモータ５６の位置するスペースの部分を有効に活用し、かかるディスク装置の構成部分に大幅な変更をももたらさずに、カートリッジホルダ側にカートリッジ排出用イジェクトモータ５６を取り付けることができる。
【００７５】
イジェクトモータ５６は、正確な取り付けを行えるよう、たとえば、そのハウジング上面に位置決め部８６を設ける構成とすることができる。この場合において、その位置決め部８６として凹部状のもの（または凸部状のもの）を使用するときは、対応するカートリッジホルダ板３の下面には凸部状（または凹部状）の位置決め部を設けることができる。
【００７６】
イジェクトモータ５６は、ＦＰＣ（フレキシブルプリントサーキット）９０を有し、これにより、イジェクトモータ５６はメインの回路基板（プリント基板）にコネクタにより接続され駆動電源により駆動されるものであるが（いずれも図示しないが、メイン基板やコネクタの使用については図１５，１６の比較例参照）、ここに、カートリッジホルダ板３の下面に取り付けられるイジェクトモータ５６から引き出されるＦＰＣ９０には、たとえば、図１０および図１３に示すごとくに、導出部９１と、カートリッジホルダ板３の上面側に折り重ねられて取り付けられる取り付け部９２とを設け、回路基板への接続については、ここでは、これらＦＰＣ９０の導出部９１部分および取り付け部９２部分の各部分を経て、当該ＦＰＣ９０の先端部を図示しない回路基板へ至らしめるものとする。
【００７７】
かくして、イジェクトモータ５６のＦＰＣ９０をカートリッジホルダ上面側に廻し、ＦＰＣ９０もカートリッジホルダ板３に取り付けることができる。
【００７８】
かかる取り付けの態様を含んで、カートリッジホルダ板３の上面側の様子を示したのが図１３であり、ＦＰＣ９０は、導出部９１の部分から折り返されて取り付け部９２の部分がカートリッジホルダ板３の上面側に廻されて取り付けられることができることがわかる。ここに、取り付け方法は、たとえば、粘着テープにより張り付けし、カートリッジホルダのフレームＧＮＤを取るためにネジ８７でネジ締めしたりすることができる。
【００７９】
また、カートリッジホルダ板３には、データの記録・消去の際に磁界を印加する磁気コイル２１およびヨークを含む界磁系８０が取り付けてあり、かかる界磁系８０から引き出されるコイル端末８１も、これを図示しない回路基板に接続する必要があるところ（図１５，１６の比較例、図１７〜１９の比較例参照）、本取り付け方法では、たとえば、図１３に示すごとくに、かかるコイル端末８１を前記ＦＰＣ９０の取り付け部９２に設けたランド部９３に半田付けし、かくて、当該ＦＰＣ９０を、当該ＦＰＣ９０に対する上述したメインの回路基板でコネクタにより接続することにより、磁気コイル（界磁コイル）２１もメインの回路基板に対する接続を完了することができる。
【００８０】
したがって、上記のＦＰＣ９０は、イジェクトモータ５６のための電源供給用配線に加えて、界磁系８０のコイル２１のための電流供給用配線をも有するものであって、この単一のＦＰＣ９０で、イジェクトモータ５６用のＦＰＣと界磁系８０用のＦＰＣの両者のＦＰＣを兼ねる構成であり、したがってまた、かかるＦＰＣ９０に対応するメインの回路基板での接続用の使用コネクタも１個で済み、当該コネクタを、イジェクトモータ５６用の接続コネクタと界磁系８０のコイル２１用の接続コネクタとの両者に兼用する構成とすることができる上、図１５，１６の比較例や図１７〜１９の比較例におけるような、カートリッジホルダ側とローディングベース側とを単に上下方向に分離したとき引き裂かれることとなってしまうおそれのある二叉部も、上記のＦＰＣ９０には存在しないことがわかる。
【００８１】
したがってまた、上述のように構成すると、その結果として、カートリッジホルダ板３側のカートリッジホルダ部組とローディングベース板２側のローディングベース部組との２つを、そのカートリッジホルダ板３の下面に上記のイジェクトモータ５６が現に取り付けられている状態で、かつまたカートリッジホルダ板３の上面側に廻して取り付けたそのＦＰＣ９０のランド部９３にコイル端末８１が現に半田付けされている状態で、たとえば図１０に示されるごとく上下方向に自由に分離することが可能であることから、それらの分解に際して、上記のコイル端末８１の半田付けを外したり、ＦＰＣ９０の取り付けを外したりする必要もなく、イジェクトモータ５６を外したりすることもない。
【００８２】
これを、組立の面からみて、逆にいえば、たとえ、上述のようなイジェクトモータ５６の取り付けおよびコイル端末８１の半田付けの処理・作業が既にされてしまった後のサブアセンブリの状態からでも、たとえばそのカートリッジホルダ部組をローディングベース部組に取り付けるよう、両者を上下方向から向かい合わせるようにして組み付けることも容易にできるものであり（比較例の場合、仮に、界磁系のコイル端末の半田付け処理を先にしてしまったとしたら、そのような状態からの組立てはこれができないか、極めて行いにくいものとなる）、その際の制限も少なく自由度も高められることを意味する。
【００８３】
また、ここでは、図１１および図１２のごとく、カートリッジホルダ板３に取り付けられたイジェクトモータ５６は、カートリッジホルダ板３側のカートリッジホルダ部組をローディングベース板２側のローディングベース部組に取り付けることにより、ローディングメカと対峙するようになり、イジェクトモータ５６の回転により、ローディングメカを駆動し、イジェクト動作を行えるように構成されている。
【００８４】
ローディングベース板２の下面に配されるスライド板４３およびその一側からディスク装置後方側に延長されるアーム部５５の部材は、既に述べたように、ＳＰＤモータ３９の下降、カートリッジ１の排出の際に駆動プレートとして機能するものであって、アーム部５５が後方に引かれると、スライド板４３が後方に移動し、モータベース板３８（図１０〜図１３では不図示）がローディングベース板２から離間し、待機状態となり、これにより、スピンドル軸４０およびアライメントピン４２（同じく、いずれも不図示）はローディングベース板２の上面から没入し、カートリッジ１のチャッキングが解除され、カートリッジ１が排出される。
【００８５】
ここでは、このような駆動プレートに関連して、図１１中、スライド板４３のアーム部５５の端部部分を一部破断して示すように、上記のごとくに取り付けられたイジェクトモータ５６側にはそのイジェクトモータ５６の駆動で回転されるカムピン８９を設けると共に、他方、図１２に示すごとく、ローディングベース側には、かかるカムピン８９に対応して、アーム部５５の端部部分にカムピン８９と係合し移動せしめられる曲げ部５５ａを設ける。
【００８６】
したがって、かかる構成において、イジェクトモータ５６を駆動すると、カムピン８９が回転し、上記の駆動プレート部分の曲げ部分５５ａ、すなわちスライド板４３の一側からディスク装置後方側に延長されるアーム部５５の曲げ部分５５ａを押して当該駆動プレート部分を動かし、ＳＰＤモータ３９を下降させ、カートリッジ１を排出することができる。
【００８７】
かくて、上述のように、イジェクトモータ５６がカートリッジホルダ（カートリッジホルダ板３）に取り付けられているため、カートリッジホルダ側をローディングベース（ローディングベース板２）側から取り外す際、イジェクトモータ５６を外したり、磁気コイル（界磁コイル）２１の端末半田付けを外したりしなくて良いため、イジェクトモータ５６に関係ない不具合や、修理などが行いやすく、無駄な廃棄部品も発生しない。
【００８８】
本発明非採用の図１５ないし図１９の比較例のものによったとすると、界磁系の界磁コイルはカートリッジ１の上側に位置し、ロード／イジェクト機構はカートリッジ１の下側に位置するため、配線が、上側の部品と下側の部品にまたがり、組立の順番の制限があったり、不具合検討等で分解する場合、界磁コイルの半田付けを外し、ＦＰＣを剥がさなければならなかったところ、また、さらに、ＦＰＣの固定方法が両面粘着剤による張り付け固定であると、それがため、そのＦＰＣを一度剥がしてしまうと２度と使えず、イジェクトモータに問題が無くても廃棄しなければならなかったところ、これに対して、かかる不利等を回避し得て、光磁気記録媒体に書き込みまたは消去する場合に磁界を印加する磁界コイル（界磁コイル）２１およびヨークを取り付け、一体となったカートリッジホルダに、カートリッジ１をイジェクトするためのイジェクトモータ５６を取り付けることにより、組み付ける順番を制限せず、分解検討も容易にすることができる本取り付け方法は、明細書冒頭で述べた考察事項（イ）〜（ヘ）からの良好な解決策となり、光磁気ディスク情報記憶装置において、組立性と共に、分解検討・再生する場合においても作業性の良いカートリッジのロード／イジェクト機構を提供することもできる。
【００８９】
また、ＦＰＣ９０の取り付けにあたり、次のような改良を加えることができ、こうすると、ＦＰＣの固定方法を分解しても不具合で無ければ再生できるものとする上で、さらに効果的なものを提供することもできる。
すなわち、上記のイジェクトモータ５６のＦＰＣ９０の取り付け方法が、少なくとも、たとえば、ＦＰＣ９０の形状で耳部を２箇所設け、カートリッジホルダ側にその耳に対応する穴を設け、前記耳部を前記穴に差し込むことにより固定する方法によるものである。
【００９０】
かかる方法の一例を示したのが図１４である。
以下、本例の場合の要部を説明するに、イジェクトモータ５６のＦＰＣ９０の取り付け方法として、図１４（ａ）に示すように、カートリッジホルダ板３に穴（たとえば、矩形状の係合孔）３ａ，３ａを設け、ＦＰＣ９０側に耳（たとえば、ＦＰＣ縁部からの突出片部）９０ａ，９０ａを設けてこれを差し込むことにより、ネジ８７によるネジ締めの際の回転防止と位置決めを行うようにする。
こうすることにより、取り付けがはめ込みだけになるため、たとえばコイル端末８１の半田付けを外して検討した後、再び組み付けることには何の支障も無い。また、粘着テープの裏紙を剥がすこともなく、ゴミも出ない。
【００９１】
上記のような構成を加味すると、前述のごとく、組立性と共に、分解検討・再生する場合においても作業性の良いカートリッジのロード／イジェクト機構を提供することができるのに加え、イジェクトモータ５６のＦＰＣ９０の取り付け方法が粘着剤や接着でなく、ＦＰＣ９０の形状で耳部９０ａを２箇所設け、カートリッジホルダにその耳に対応する穴３ａを設け、前記耳部を前記穴に差し込むことにより固定することができ、分解しても不具合で無ければ再生できるものとすることができる。
【００９２】
また、ネジ締めに際し電動ドライバー等による大きなトルクがかかる場合には、図１４（ａ）のＣ−Ｃ断面である同図（ｂ）にも併せて示すごとく、たとえばカートリッジホルダ板３の一部の切り起しによりカートリッジホルダ板３に曲げ部３ｂを設けてＦＰＣ９０の穴（たとえば、矩形状の係合孔）９０ｂを引っかけることにより、さらに強力な回転防止とすることができる。
ＦＰＣ９０の取り付け方法は、このようにして実施してもよい。
【００９３】
なお、本発明は、以上の実施の態様に限定されるものではなく、各種の変形が可能である。
たとえば、上述した実施形態のものは、３．５インチ型の光磁気ディスク用のディスク装置に適用したものであるが、そのほかのディスク装置にも適用できることはもちろんであり、書き込みまたは消去をする場合に磁界を印加する界磁系がカートリッジホルダに取り付けられる光磁気ディスク情報記憶装置で、カートリッジ排出用イジェクトモータをカートリッジホルダに取り付けることにより、磁界コイルの接続関係を容易にし、分解、再組立などの保守・検討の作業性等の向上を図らんとする場合に、広く適用して実施することが可能である。
【００９４】
この場合においてまた、カートリッジの飛び出しを防止し、挿入・排出の操作性を向上させる機構として、図示したプルプレート６０、イジェクトスプリング５４、嵌合保持部材７０、ストッパ７３等を備えるものに限られるものでもなく、さらにはまた、そうした機構を採用する場合にあっても、上述した構成／構造によるのものに限られない。
たとえば、図１、図３や、図１０、図１１に示されるとおり、上記のプルプレート６０はいずれの態様の例でも梁状のものであるが、このプルプレートの形状はこれには限定されず、カートリッジ１の挿入経路を横断し、このカートリッジの挿入方向と平行に移動自在に案内されているものであれば、その形状は任意の形状とすることができる。
【００９５】
また、このプルプレート６０とカートリッジ１との当接個所は、上述のように略中央部の１箇所（当接凸部６２）には限定されず、たとえばカートリッジの両側の２箇所でもよく、この場合でもカートリッジとプルプレートとは安定して当接することができる。
【００９６】
また、前述のレバー部材６３は必ずしも設ける必要はなく、スペース、そのほかの部品の配置などの制約がある場合には、このプルプレート６０に直接イジェクトスプリング５４を連結してもよい。
【００９７】
また、上記の嵌合保持部材７０の形状や構造は必ずしも上記のものには限定されず、カートリッジ１の凹部１５内に弾性的に嵌合するものであれば、どのような形状、構造のものでもよい。
【００９８】
また、この嵌合保持部材７０の弾性嵌合力は、上記のプルプレート６０が停止する際の衝撃によって嵌合が外れないような強さのものであれば、上述のような嵌合解除防止機構７５は必ずしも設ける必要はない。
したがって、図１０、図１１ないし図１４、および図１５の実施の態様においても、かかる嵌合解除防止機構は設けないで実施することができるものであることもいうまでもない。
【００９９】
また、以上に記載された内容は、以下の発明として捉えることもできる。
【０１００】
〔付記項１〕  光磁気記録媒体に書き込みまたは消去する場合に磁界を印加する界磁コイル（２１）およびヨークを取り付け、一体となったカートリッジホルダ（２）に、カートリッジ（１）をイジェクトするためのイジェクトモータ（５６）を取り付けたことを特徴とする光磁気記憶装置。
【０１０１】
〔付記項２〕  イジェクトモータ（５６）のＦＰＣ（９０）の取り付け方法が粘着剤や接着でなく、ＦＰＣ（９０）の形状で耳部（９０ａ）を２箇所設け、カートリッジホルダ（２）にその耳に対応する穴（３ａ）を設け、前記耳部（９０ａ）を前記穴（３ａ）に差し込むことにより固定することを特徴とする光磁気記憶装置、または〔付記項１〕に記載の光磁気記憶装置。
【０１０２】
〔付記項３〕  〔付記項１〕または〔付記項２〕において、
前記の光磁気記憶装置は、
ディスク状の記録媒体を収容したカートリッジ（１）を挿入および排出し、このカートリッジ（１）の挿入および排出に連動して、このカートリッジ（１）のシャッタ（１２）を開閉させるシャッタ開閉機構（２２）、および上記の記録媒体を回転させるスピンドルモータ機構（３６）を作動させるディスク装置であって、
上記のディスクの挿入経路に設けられ、このディスクの挿入方向に沿って平行に移動自在に案内され、このディスクの挿入経路を横断する方向に配置され、上記のカートリッジ（１）の挿入の際にこのカートリッジ（１）の前縁部に当接し、このカートリッジ（１）と共に移動するプルプレート（６０）を備え、
また、上記のプルプレート（６０）を、上記のカートリッジ（１）の排出方向に付勢するイジェクトスプリング（５４）を備え、
また、上記のプルプレート（６０）の両端部に設けられ、上記のカートリッジ（１）の両側の凹部（１５）内に弾性的に嵌合し、このカートリッジ（１）を上記のプルプレート（６０）に対して保持する嵌合保持部材（７０）を備え、
また、上記のカートリッジ（１）の後端部が上記のディスク装置から突出した所定の位置で上記のプルプレート（６０）の移動を停止させるストッパ（７３）とを備えたことを特徴とするディスク装置。
【０１０３】
この〔付記項３〕によれば、上記の〔付記項１〕または〔付記項２〕において、さらに、カートリッジの排出の際の飛び出しを確実に防止できるとともに、カートリッジの円滑な挿入および排出ができ、操作性を向上させたディスク装置を提供することができる。
【０１０４】
〔付記項４〕  前記の嵌合保持部材（７０）は、上記のプルプレート（６０）が前記のストッパ（７３）に当接した際の衝撃によっても、カートリッジ（１）の嵌合保持が外れないような弾性力を有していることを特徴とする〔付記項３〕に記載のディスク装置。
【０１０５】
この〔付記項４〕では、前記の嵌合保持部材は、上記のプルプレートが前記のストッパに当接した際の衝撃によっても、カートリッジの嵌合保持が外れないような弾性力を有していることから、さらに、カートリッジの飛び出しを確実に防止することができる。
【０１０６】
〔付記項５〕  前記のストッパ（７３）は弾性を有し、前記のプルプレート（６０）が当接した際の衝撃を緩和することを特徴とする〔付記項３〕に記載のディスク装置。
【０１０７】
したがって、この〔付記項５〕では、カートリッジの飛び出しを確実に防止することができるとともに、カートリッジの凹部への嵌合保持部材の弾性嵌合力を小さくすることができ、カートリッジの挿入、取出しがより容易となる。
【０１０８】
〔付記項６〕  前記のプルプレート（６０）が前記の弾性を有するストッパ（７３）に当接した後に、このストッパ（７３）を弾性変形させつつ前記のカートリッジ（１）の排出方向にさらに移動した際に、前記のプルプレート（６０）に設けられている嵌合保持部材（７０）の前記のカートリッジ（１）の凹部（１５）から離脱する方向の移動を規制して嵌合解除を防止する嵌合解除防止機構（７５）が設けられていることを特徴とする〔付記項５〕に記載のディスク装置。
【０１０９】
したがって、この〔付記項６〕では、このプルプレートがストッパに当接して減速し、加速度が作用した場合に、これら嵌合保持部材の嵌合解除が強制的に防止され、カートリッジの飛び出しが確実に防止される。また、上記のように嵌合保持部材の嵌合解除が強制的に防止されるので、これらの嵌合保持部材の嵌合弾性力は弱くてもよく、カートリッジの挿入、排出がより容易となる。
【０１１０】
〔付記項７〕  前記のプルプレート（６０）は、前記のスピンドルモータ機構（３６）に連動しており、前記のカートリッジ（１）の挿入および排出作動に対応してこのプルプレート（６０）を介して上記のスピンドルモータ機構（３６）を作動させ、このスピンドルモータ機構（３６）をカートリッジ（１）の挿入経路から離れた待機位置と前記の記録媒体をチヤッキングする装着位置との間を移動させることを特徴とする〔付記項３〕に記載のディスク装置。
【０１１１】
この〔付記項７〕では、前記のプルプレートは、前記のスピンドルモータ機構に連動しており、前記のカートリッジの挿入および排出作動に対応してこのプルプレートを介して上記のスピンドルモータ機構を作動させ、このスピンドルモータ機構をカートリッジの挿入経路から離れた待機位置と前記の記録媒体をチヤッキングする装着位置との問を移動させるものであることから、構造が簡単となり、また作動も安定する。
【０１１２】
〔付記項８〕  前記のプルプレート（６０）は、前記のカートリッジ（１）の前縁部の略中央の部分に当按する当接凸部（６２）を備えていることを特徴とする〔付記項３〕に記載のディスク装置。
【０１１３】
したがって、この〔付記項８〕では、このカートリッジを挿入してプルプレートを押圧する場合には、このカートリッジが中央部の当接凸部に当接するので、このカートリッジやプルプレートに均等な荷重が作用し、これらを傾けるような荷重は作用しない。このため、カートリッジの挿入が安定する。また、プルプレートは、カートリッジ挿入経路を横断する幅広の部材となるが、これをカートリッジの挿入方向に平行移動させる案内機構は、寸法の制約があり、挿入方向の長さすなわち案内長さを十分に取れない場合が多く、このプルプレートも傾きやすい。しかし、上記のように、略中央部の当接凸部で押圧される場合には、このプルプレートの案内も安定する。
【０１１４】
〔付記項９〕  前記のカートリッジ（１）は、シャッタ（１２）を開閉するシャッタバー（１３）およびこのシャッタバー（１３）の先端部に形成された頭部（１４）とを備えており、前記の当接凸部（６２）は、開放状態の上記のシャッタ（１２）の上記のシャッタバー（１３）の頭部（１４）に当接する位置に設けられていることを特徴とする〔付記項８〕に記載のディスク装置。
【０１１５】
この〔付記項９〕にあっては、このシャッタが開放されている場合には、上記のシャッタバーの頭部はこのカートリッジの略中央部に位置しており、またこの頭部は幅広状のものであるから、この当接凸部は安定して当接する。
【０１１６】
〔付記項１０〕  前記のプルプレート（６０）と連動するレバー部材（６３）を備えており、このレバー部材（６３）は、その基端部が前記のディスク装置の本体側に回動自在に枢着され、また中間部が上記のプルプレート（６０）と回動および摺動自在に連結され、またこのレバー部材（６３）の先端部にはプルプレート（６０）をカートリッジ（１）の排出側に付勢する前記のイジェクトスプリング（５４）が連結されていることを特徴とする〔付記項３〕に記載のディスク装置。
【０１１７】
したがって、この〔付記項１０〕では、このレバー部材の先端部の移動量は、カートリッジの移動量すなわちプルプレートの移動量より大きくなる。よって、このレバー部材の先端部に連結されるイジェクトスプリングは、その伸縮のストロークが長くなり、より長く小さいばね定数のものを使用することができ、カートリッジの挿入、排出の際の付勢力の変化をより少なくし、操作性を向上させることができる。
【０１１８】
〔付記項１１〕  前記のレバー部材（６３）と前記のプルプレート（６０）との回動および摺動連結部は、このプルプレート（６０）に突設され前記のカートリッジ（１）の前縁部に当接する当接凸部（６２）に対応した位置に配置されていることを特徴とする〔付記項１１〕に記載のディスク装置。
【０１１９】
したがって、この〔付記項１１〕では、カートリッジを挿入した場合に、このカートリッジからプルプレートヘの荷重の伝達位置と、このプルプレートからレバー部材への荷重の伝達位置が略一致するので、このプルプレートにこれを傾けるような荷重が発生せず、より円滑な作動を達成することができる。
【０１２０】
【発明の効果】
本発明によれば、光磁気記録媒体に書き込みまたは消去する場合に磁界を印加する界磁コイルを有する界磁系を取り付け、一体となったカートリッジホルダに、カートリッジをイジェクトするためのイジェクトモータを取り付けることができ、組み付ける順番を制限せず、分解検討も容易にすることができる。したがってまた、組立性と共に、分解検討・再生する場合においても作業性の良いものとすることができる。
【図面の簡単な説明】
【図１】  本発明を適用できる光磁気ディスク装置の一実施形態の概略的な分解斜視図。
【図２】  図１のカートリッジホルダ部材を反転して裏面側を示す平面図。
【図３】  図１のベース板の平面図。
【図４】  カートリッジをチャッキング位置まで挿入した状態のベース板の平面図。
【図５】  図１のベース板を反転して裏面側を示す平面図。
【図６】  スピンドルモータ機構が待機位置にある場合の図５のＡ−Ａ矢視図。
【図７】  スピンドルモータ機構がチャッキング位置にある場合の図５のＡ−Ａ矢視図。
【図８】  プルプレート端部と嵌合保持部材の部分を拡大して示すベース板の平面図。
【図９】  図８のＢ−Ｂ矢視図。
【図１０】  カートリッジ排出用イジェクトモータをカートリッジホルダに取り付けるイジェクトモータ取り付け方法の一例の説明に供する分解組立斜視図である。
【図１１】  ローディングベースおよびイジェクトモータ取り付け後のカートリッジホルダの組み付け体の一例を裏面側からみて示す図である。
【図１２】  同じく、図１１の組み付け体における側面図（図１１の右側からみた側面図）である。
【図１３】  同じく、イジェクトモータのＦＰＣの取り付け方法の態様の一例を含めて示す、図１１の組み付け体の平面図である。
【図１４】  ＦＰＣの取り付け方法の他の態様の例の説明に供する要部説明図である。
【図１５】  比較例の説明に供する図である。
【図１６】  同じく、図１５の比較例におけるＦＰＣによる配線の様子を含めて示す説明図である。
【図１７】  他の比較例の説明に供する図である。
【図１８】  同じく、図１７の比較例における側面図（図１７（ｂ）の右側からみた側面図）である。
【図１９】  同じく、図１７の比較例の平面図である。
【符号の説明】
１  カートリッジ
２  ベース板（ローディングベース）
３  カートリッジホルダ板（カートリッジホルダ）
３ａ  穴（係合孔）
３ｂ  曲げ部
１２  シャッタ
１３  シャッタバー
１４  頭部
１５  凹部
１６  基準孔
２１  磁気コイル（界磁コイル）
２２  シャッタ開閉機構
２３  シャッタ開閉爪部材
２４  案内溝
２５  スライダ
２６  スライド溝
２７  スプリング
２８  スプリング
３１  側壁部
３２  底壁部
３３  シート
３５  光磁気ヘッド機構
３６  スピンドルモータ機構
３８  モータベース板
３９  スピンドル（ＳＰＤ）モータ
４０  スピンドル軸
４１  案内ピン
４２  アライメントピン
４３  スライド板
４４  スプリング
４５  カム板部
４６  ピン
４７  カム溝
４８  ピン
４９  リンク板
５０  ピン
５１  長孔
５２  ピン
５３  長孔
５４  イジェクトスプリング
５５  アーム部
５５ａ  曲げ部
５６  イジェクトモータ
６０  プルプレート
６１  スライド部材
６２  当接凸部
６３  レバー部材
６４  ピン
６５  連結ピン
６６  長孔
６７  スリット溝
７０  嵌合保持部材
７１  嵌合部
７２  通過孔
７３  ストッパ
７５  嵌合解除防止部材
８０  界磁系
８１  コイル端末
８３  ネジ
８４  取り付け部
８５  ネジ取り付け部
８６  位置決め部
８７  ネジ
８９  カムピン
９０  ＦＰＣ（フレキシブルプリント回路；フレキシブルプリントサーキット）
９０ａ  耳（耳部）
９０ｂ  穴（係合孔）
９１  導出部
９２  取り付け部
９３  ランド部
【図１】
0004402267.tif 000002
【図２】
0004402267.tif 000003
【図３】
0004402267.tif 000004
【図４】
0004402267.tif 000005
【図５】
0004402267.tif 000006
【図６】
0004402267.tif 000007
【図７】
0004402267.tif 000008
【図８】
0004402267.tif 000009
【図９】
0004402267.tif 000010
【図１０】
0004402267.tif 000011
【図１１】
0004402267.tif 000012
【図１２】
0004402267.tif 000013
【図１３】
0004402267.tif 000014
【図１４】
0004402267.tif 000015
【図１５】
0004402267.tif 000016
【図１６】
0004402267.tif 000017
【図１７】
0004402267.tif 000018
【図１８】
0004402267.tif 000019
【図１９】
0004402267.tif 000020